(57)【特許請求の範囲】
【請求項１】
遠隔ＳＩＭカードに基づくネットワーク配置方法であって、
バックエンドプラットフォームは、当該プラットフォームに格納した、前記遠隔ＳＩＭカードにあらかじめ設定されたＳＩＭカードデータを読み出すことと、
前記バックエンドプラットフォームは、ネットワーク配置情報に応答し、前記遠隔ＳＩＭカードにあらかじめ設定されているＳＩＭカードデータのネットワークリストを修正し、修正されたＳＩＭカードデータを取得することであって、前記ネットワーク配置情報が前記ネットワークリストにおける各ネットワークのネットワーク状態情報に基づいて決定され、前記ネットワーク状態情報がネットワーク品質及びネットワーク料金を含み、前記ネットワークリストが、優先ネットワークとそのアクセス技術とによって生成したリスト及び使用禁止ネットワークリストを含み、修正および取得することと、
前記バックエンドプラットフォームは、ユーザー端末に前記修正されたＳＩＭカードデータを送信することであって、修正されたネットワークリストがＳＩＭカードデータの一部である、送信することとを含み、
前記修正および取得することにおいて、前記バックエンドプラットフォームは、前記優先ネットワークとそのアクセス技術とによって生成したリスト及び前記使用禁止ネットワークリストのうちの１つ又は複数を修正する、
ことを特徴とする方法。
【請求項２】
前記バックエンドプラットフォームは、デフォルトのネットワークリストを使用する指示に応答し、前記あらかじめ設定されたＳＩＭカードデータを送信することをさらに含む請求項１に記載の方法。
【請求項３】
前記バックエンドプラットフォームは、読み出した、前記遠隔ＳＩＭカードにあらかじめ設定されたＳＩＭカードデータを記憶することをさらに含む請求項１に記載の方法。
【請求項４】
遠隔ＳＩＭカードに基づくネットワーク配置装置であって、
当該装置に格納した、前記遠隔ＳＩＭカードにあらかじめ設定されたＳＩＭカードデータを読み出す読出手段と、
ネットワーク配置情報に応答し、前記遠隔ＳＩＭカードにあらかじめ設定されているＳＩＭカードデータのネットワークリストを修正し、修正されたＳＩＭカードデータを取得し、前記ネットワーク配置情報が前記ネットワークリストにおける各ネットワークのネットワーク状態情報に基づいて決定され、前記ネットワーク状態情報がネットワーク品質及びネットワーク料金を含み、前記ネットワークリストが、優先ネットワークとそのアクセス技術とによって生成したリスト及び使用禁止ネットワークリストを含み、前記遠隔ＳＩＭカードにあらかじめ設定されているＳＩＭカードデータのネットワークリストを修正するときに、前記優先ネットワークとそのアクセス技術とによって生成したリスト及び前記使用禁止ネットワークリストのうちの１つ又は複数を修正するＳＩＭカードデータ修正手段と、
ユーザー端末に前記修正されたＳＩＭカードデータを送信し、修正されたネットワークリストがＳＩＭカードデータの一部である送信手段とを含むことを特徴とする装置。
【請求項５】
前記送信手段は、
デフォルトのネットワークリストを使用する指示に応答し、前記あらかじめ設定されたＳＩＭカードデータを送信することをさらに含む請求項４に記載の装置。
【請求項６】
読み出した、遠隔ＳＩＭカードにあらかじめ設定されたＳＩＭカードデータを記憶する記憶手段をさらに含む請求項４に記載の装置。
【発明の詳細な説明】
【技術分野】
【０００１】
本発明は通信分野に関し、特に遠隔ＳＩＭカード（ｒｅｍｏｔｅ  ＳＩＭ  ｃａｒｄ）に基づくネットワーク配置方法及び装置に関する。
【背景技術】
【０００２】
セルラー移動通信サービスプロバイダーは、「帰属地（ＱＣｅｌｌＣｏｒｅ）」と呼ばれる特定の国家又は地域の範囲内に独自のネットワークを構築する。国家や地域を超えて通信する場合は通常、「ローミング」技術を採用して通信を実現する。
【０００３】
「ローミングエリア」では常に複数のネットワークが存在している。「帰属地」のサービスプロバイダーと「ローミングエリア」の複数のネットワークとの間には異なるローミングプロトコルが存在する場合がある。端末にとっては、「ローミングエリア」に入った後、複数のネットワーク間で選択をしなければならない。
【０００４】
「遠隔ＳＩＭ」は通信技術の１つである。その技術的特徴はユーザーにネットワークサービスを提供するＳＩＭカードがユーザー端末に直接差し込まれることなく、バックエンドプラットフォームにまとめて設けられていることである。バックエンドプラットフォームと端末との間のコントロールチャネルを使用してカードデータのやり取りを実現する。そのビジネス価値は、ユーザーの関与と認識の必要がないことを前提にしてカード選択、カード交換、トラフィック課金計算などの機能を達成し、ユーザーが携帯電話１台だけで全世界におけるローミングを実現することにある。
【０００５】
「遠隔ＳＩＭ」技術におけるローミング先のネットワーク選択問題を解決することはサービス品質を向上させる重要な側面である。例えば、特定のローミング先のネットワークを優先に選択することで、ユーザーエクスペリエンスをさらに向上させることができる。特定のローミング先のネットワークを制限することで、ユーザー端末が自動アクセスした後の不満を回避することができる。特定のローミング先のネットワークを無効にすることで、ユーザー端末が誤ってアクセスした際に発生する高額な費用を回避することができる。
【０００６】
ユーザーが手動でネットワークを選択する以外に、従来の技術を用いてローミング先のネットワークを選択するには主に２つの方式がある。
【０００７】
１つの方式としては、
ＳＩＭカードにローミング用ネットワークリスト（優先リストと使用禁止リストを含む）があらかじめ設定される。端末がネットワークにアタッチする際にリストを読み出して実行する。
【０００８】
このような方式は一般端末にサポートされるため、特に端末を修正する必要がない。ただし、ＳＩＭカードにファイルをあらかじめ書き込むことは柔軟性が低いという欠点があり、通常、サービスプロバイダーがカードを出荷した時点で書き込むため、ローミングプロトコルの変更、実際のネットワークの遷移及び運用ポリシーの変化に対して柔軟に対応することができない。
【０００９】
もう１つの方式としては、
端末にネットワークリストが単独で格納され、ネットワークにアタッチする際にリスト内容を読み出す。ネットワークリストの配布、格納、使用に専用ソフトウェアが必要になるという欠点がある。端末のネットワークリストを変更するのはかなり手間がかかる。
【発明の概要】
【００１０】
それ故に、遠隔ＳＩＭカードに基づくネットワーク配置方法及び装置を提供する。ユーザーがネットワークを選択する必要がある場合、バックエンドプラットフォームでネットワーク料金、ネットワーク品質、トラフィックなどの情報に基づいて、より優れたネットワークをユーザーに提供するとともに、要件を満たさないネットワークを無効化又は制限する。バックエンドプラットフォームは、優先するネットワークと、そのアクセス技術、無効化または制限するネットワークとによってネットワークリストを生成し、ネットワークリストをＳＩＭカードデータの一部としてユーザー端末に送信する。端末は、当該ＳＩＭカードデータを受信した後、特に修正や適応を行うことなく、そのまま採用することができる。したがって、本発明はＳＩＭカードデータを柔軟に修正し、ユーザーにより良いネットワーク体験を提供することができる。
【００１１】
本発明の第１態様によれば、遠隔ＳＩＭカードに基づくネットワーク配置方法を提供する。当該方法は、
ネットワーク配置情報に応答し、遠隔ＳＩＭカードにあらかじめ設定されているＳＩＭカードデータのネットワークリストを修正し、修正されたＳＩＭカードデータを取得することと、
前記修正されたＳＩＭカードデータを送信することとを含むことを特徴とする方法。
【００１２】
本発明の第２態様によれば、遠隔ＳＩＭカードに基づくネットワーク配置装置を提供する。当該装置は、
ネットワーク配置情報に応答し、遠隔ＳＩＭカードにあらかじめ設定されているＳＩＭカードデータのネットワークリストを修正し、修正されたＳＩＭカードデータを取得するＳＩＭカードデータ修正手段と、
前記修正されたＳＩＭカードデータを送信する送信手段とを含むことを特徴とする装置。
【００１３】
本発明に係る遠隔ＳＩＭカードに基づくネットワーク配置方法及び装置によれば、ＳＩＭカードデータを柔軟に修正し、ユーザーにより良いネットワーク体験を提供することができる。
【００１４】
本発明の特徴及び技術内容をさらに明確に説明するためには、以下の本発明の詳細な説明及び図面を参照できるが、提供される図面は参照と説明のためのものであり、本発明を限定することを意図しない。
【図面の簡単な説明】
【００１５】
【図１】端末とバックエンドプラットフォームとの接続略図
【図２】本発明の実施形態に係る遠隔ＳＩＭカードに基づくネットワーク配置方法のフローチャート図
【図３】本発明の実施形態に係る遠隔ＳＩＭカードに基づくネットワーク配置装置の略図
【発明を実施するための形態】
【００１６】
以下、具体的な実施態様を用いて本発明の実施形態を説明し、当業者がこの明細書の開示内容から本発明の利点と効果を了解することができる。本発明は別の実施態様により実施又は適用することもできる。この明細書の詳細がさまざまな視点と適用に基づき、本発明の考え方から逸脱することなく、さまざまな修正又は変更することができる。また、本発明の図面は単なる例示的で説明用の図であり、実際のサイズに合わせた図ではない。以下の実施形態はさらに本発明の関連技術内容を詳細に説明するが、開示内容は本発明の保護範囲を限定するものではない。
【００１７】
図１は端末とバックエンドプラットフォームとの接続略図である。本発明では、端末は２つの通信モジュールを含む無線ネットワーク機器である。この２つの通信モジュールをそれぞれ「業務チャネル通信モジュール」と「点火チャネル通信モジュール」（又は「制御チャネル通信モジュール」）と呼ぶ。
【００１８】
そのうち、端末内の「業務チャネル通信モジュール」はセルラー通信サービスプロバイダーのネットワーク（ＬＴＥ、ＷＣＤＭＡ（登録商標）など）に接続し、ユーザーにネットワークサービスを提供する。また、端末内の「業務チャネル通信モジュール」はＷＩＦＩ（登録商標）ホットスポットを提供でき、ユーザー端末が当該ホットスポットを通じてインターネットにアクセスする。端末内の「点火チャネル通信モジュール」において、一端がサービスプロバイダーネットワーク及び／又はインターネットを通じてバックエンドプラットフォームにアクセスされ、他端が端末内の内部回路を介して「業務チャネル通信モジュール」にアクセスされる。一般端末は、ＳＩＭカードを差し込まなければならず、サービスプロバイダーネットワークとの間で身元認証後、セルラーネットワークにアクセスする。「業務チャネル通信モジュール」にはＳＩＭカードがなく、一般端末のＳＩＭカードのデータ通信の対象は「点火チャネル通信モジュール」である。
【００１９】
遠隔ＳＩＭカードの適用場面では、一般に、端末がネットワーク（例えば、セルラーネットワーク）にアクセスする際のワークフローは大体以下のようになる。
【００２０】
「点火チャネル通信モジュール」は、セルラーネットワークにアクセスし、インターネットに正常にアクセスする。
【００２１】
「業務チャネル通信モジュール」はセルラーネットワークへのアクセスを試みる。
【００２２】
セルラーネットワークは端末に対してＳＩＭカードのデータファイルの送信を要求する。
【００２３】
「業務チャネル通信モジュール」は、「点火チャネル通信モジュール」にネットワーク情報を提供し、ＳＩＭカードのデータファイルをリクエストする。
【００２４】
「点火チャネル通信モジュール」は、インターネットを通じて「バックエンドプラットフォーム」に情報を送信し、ＳＩＭカードのデータファイルをリクエストする。
【００２５】
「バックエンドプラットフォーム」は、端末から提供される情報に基づき、優先ポリシーに従ってＳＩＭカードを選択し、ＳＩＭカードのデータファイルを読み出し、「点火チャネル通信モジュール」に送信する。
【００２６】
「点火チャネル通信モジュール」はＳＩＭカードのデータファイルを「業務チャネル通信モジュール」に提供する。
【００２７】
「業務チャネル通信モジュール」はＳＩＭカードのデータファイルをセルラーネットワークに提供する。
【００２８】
また、セルラーネットワークはＳＩＭカードに認証計算を要求する。ワークフローは上記と同様である。上述したワークフローにより、「業務チャネル通信モジュール」はセルラーネットワークにアクセスし、ユーザーにネットワークサービスを提供する。
【００２９】
端末が置かれるネットワーク状態が変化した場合（例えば、ネットワークのローミングを行う時）は、端末が現在のネットワーク状態に最適なネットワークとアクセス技術を容易に選択するために、本発明の一態様によれば、遠隔ＳＩＭカードに基づくネットワーク配置方法を提供する。ユーザーがネットワークを選択する必要がある場合、バックエンドプラットフォームでネットワーク料金、ネットワーク品質、トラフィックなどの情報に基づいて、より優れたネットワークをユーザーに提供するとともに、要件を満たさないネットワークを無効化又は制限する。バックエンドプラットフォームは、優先するネットワークと、そのアクセス技術、無効化または制限するネットワークとによってネットワークリストを生成し、ネットワークリストをＳＩＭカードデータの一部としてユーザー端末に送信する。端末は、当該ＳＩＭカードデータを受信した後、特に修正や適応を行うことなく、そのまま採用することができる。
【００３０】
図２は本発明の実施形態に係る遠隔ＳＩＭカードに基づくネットワーク配置方法のフローチャート図である。図２に示すように、前記方法は、遠隔ＳＩＭカードにあらかじめ設定されたＳＩＭカードデータを読み出すステップＳ２０１を含む。
【００３１】
ＳＩＭカードデータには認証情報や暗号化情報、ネットワークリスト情報、個人識別番号（ＰＩＮ）、課金レートなどの情報が含まれる。
【００３２】
端末からのリクエストに迅速に応答するためには、好ましい実施形態において、あらかじめすべてのＳＩＭカード内の主なデータを読み出し、読み出したＳＩＭカードデータをメモリに格納し管理する。
【００３３】
したがって、本発明は、
読み出した遠隔ＳＩＭカードにあらかじめ設定されたＳＩＭカードデータを記憶するステップＳ２０２を選択的に含む。
【００３４】
ＳＩＭカードデータを読み出した後は、システムのリセット、ＳＩＭカードの変更又は運用担当者の積極的な介入を除き、ＳＩＭカードからデータを読み出す必要はない。
【００３５】
端末が置かれるネットワーク状態が変化した場合（例えば、ネットワークのローミングを行う時）は、端末が現在採用しているネットワークは最適な選択肢ではない可能性がある。例えば、ローミング先のネットワーク品質が悪い、料金が高い、現在のネットセットトラフィックが不足する、などの状況が考えられる。バックエンドプラットフォームは現在既知のすべてのネットワークのネットワーク状態情報（ネットワーク品質、ネットワーク料金、ユーザーのネットセットトラフィックなど）を取得することができる。通常、料金が安くて品質の良いネットワークを希望するユーザー、又は、料金を問わず、品質が良いネットワークを要求するユーザー、又は、その他の要求や好みがあるユーザーがいる。バックエンドプラットフォームはユーザーの好み情報及びネットワークリストにおける各ネットワークのネットワーク状態情報に基づいて最適なネットワークとアクセス技術を選択し、特定のネットワークを制限又は無効化する。バックエンドプラットフォームは、ユーザーの好みと各ネットワークのネットワーク状態情報に基づいてＳＩＭカードデータのネットワークリストを修正する必要があると判断した場合、ネットワーク配置情報（ネットワーク構成情報とも呼ばれている）を生成する。ＳＩＭカードデータのネットワークリストを修正する必要がないと判断した場合、すなわち、ＳＩＭカードにあらかじめ設定されているデータを使用する場合、デフォルトのネットワークリストを使用するための指示を形成する。したがって、ネットワークリストを修正する必要がある場合、前記方法は、ネットワーク配置情報に応答し、遠隔ＳＩＭカードにあらかじめ設定されているＳＩＭカードデータのネットワークリストを修正し、修正されたＳＩＭカードデータを取得するステップＳ２０３を含む。
【００３６】
ネットワークリストは優先ネットワークリスト、前記優先ネットワークリストへのアクセス技術及び使用禁止ネットワークリストを含む。前記遠隔ＳＩＭカードにあらかじめ設定されているＳＩＭカードデータのネットワークリストを修正することは、前記優先ネットワークリスト、前記優先ネットワークリストへのアクセス技術及び前記使用禁止ネットワークリストのうちの１つ又は複数を修正することを含む。例えば、あるローミング先のネットワーク品質が良くて料金が安い場合は、それを「優先ネットワークリスト」に組み入れることができる。なお、「優先ネットワークリスト」に組み入れられるネットワークは複数であってもよく、ネットワークにアクセスする際にユーザーに提示してユーザーに選択させることができる。また、ＳＩＭカードがローミング先のネットワークにアクセスすると、高いローミング料金が発生する場合は、このローミングネットワークを「使用禁止ネットワークリスト」に設定することができる。
【００３７】
具体的な実施形態によれば、修正の場合は、バックエンドプラットフォームは、ＳＩＭカードのデータファイルを解析し、その優先ネットワークと使用禁止ネットワークに関するフィールドを削除し、ネットワーク配置情報に基づいて設定されたネットワークリストを、ＳＩＭカードのデータファイルの要求フォーマットにより再編成及び入力を行い、新しいＳＩＭカードのデータファイルを生成する。
【００３８】
修正されたＳＩＭカードデータを取得した後、前記方法は、
前記修正されたＳＩＭカードデータを送信するステップＳ２０４を含む。
【００３９】
ネットワークリストを修正する必要がない場合、前記方法は、
デフォルトのネットワークリストを使用する指示に応答し、あらかじめ設定されたＳＩＭカードデータを送信するステップＳ２０５を含む。
【００４０】
端末は、ＳＩＭカードのデータファイルを受信した後、標準プロトコルに従い解析すればよい。バックエンドプラットフォームがＳＩＭデータファイルを修正したか否かにかかわらず、端末にとって特に修正と適応を行う必要はない。
【００４１】
本発明に係る遠隔ＳＩＭカードに基づくネットワーク配置方法によれば、ＳＩＭカードデータを柔軟に修正し、今までユーザーに最適なネットワークを選択し、ユーザーにより良いネットワーク体験を提供することができる。
【００４２】
本発明はさらに遠隔ＳＩＭカードに基づくネットワーク配置装置を提供する。図３は本発明の実施形態に係る遠隔ＳＩＭカードに基づくネットワーク配置装置の図である。図３に示すように、当該装置は、遠隔ＳＩＭカードにあらかじめ設定されたＳＩＭカードデータを読み出す読出手段３０１を含む。
【００４３】
ＳＩＭカードデータには基本ファイル、認証情報や暗号化情報、ネットワークリスト情報、個人識別番号（ＰＩＮ）などが含まれる。
【００４４】
端末からのリクエストに迅速に応答するためには、好ましい実施形態において、あらかじめすべてのＳＩＭカード内の主なデータを読み出し、読み出したＳＩＭカードデータをメモリに格納し管理する。
【００４５】
したがって、本発明は、
読み出した遠隔ＳＩＭカードにあらかじめ設定されたＳＩＭカードデータを記憶する記憶手段３０２を選択的に含む。
【００４６】
ＳＩＭカードデータを読み出し後は、システムのリセット、ＳＩＭカードの変更又は運用担当者の積極的な介入を除き、ＳＩＭカードからデータを読み出す必要はない。
【００４７】
端末が置かれるネットワーク状態が変化した場合（例えば、ネットワークのローミングを行う時）は、端末が現在採用しているネットワークは最適な選択肢ではない可能性がある。例えば、ローミング先のネットワーク品質が悪い、料金が高い、現在のネットセットトラフィックが不足する、などの状況が考えられる。バックエンドプラットフォームは現在既知のすべてのネットワークのネットワーク状態情報（ネットワーク品質、ネットワーク料金、ユーザーのネットセットトラフィックなど）を取得することができる。通常、料金が安くて品質の良いネットワークを希望するユーザー、又は、料金を問わず、品質が良いネットワークを要求するユーザー、又は、その他の要求や好みがあるユーザーがいる。バックエンドプラットフォームはユーザーの好み情報及びネットワークリストにおける各ネットワークのネットワーク状態情報に基づいて最適なネットワークとアクセス技術を選択し、特定のネットワークを制限又は無効化する。バックエンドプラットフォームはユーザーの好みと各ネットワークのネットワーク状態情報に基づいてＳＩＭカードデータのネットワークリストを修正する必要があると判断した場合、ネットワーク配置情報を形成させるが、ＳＩＭカードデータのネットワークリストを修正する必要がないと判断した場合、すなわち、ＳＩＭカードにあらかじめ設定されているデータを使用する場合、デフォルトのネットワークリストを使用するための指示を生成する。したがって、ネットワークリストを修正する必要がある場合、前記装置は、ネットワーク配置情報に応答し、遠隔ＳＩＭカードにあらかじめ設定されているＳＩＭカードデータのネットワークリストを修正し、修正されたＳＩＭカードデータを取得するＳＩＭカードデータ修正手段３０３を含む。
【００４８】
ネットワークリストは優先ネットワークリスト、前記優先ネットワークリストへのアクセス技術及び使用禁止ネットワークリストを含む。前記遠隔ＳＩＭカードにあらかじめ設定されているＳＩＭカードデータのネットワークリストを修正することは前記優先ネットワークリスト、前記優先ネットワークリストへのアクセス技術及び前記使用禁止ネットワークリストのうちの１つ又は複数を修正することを含む。例えば、あるローミング先のネットワーク品質が良くて料金が安い場合は、それを「優先ネットワークリスト」に組み入れることができる。なお、「優先ネットワークリスト」に組み入れられるネットワークは複数であってもよく、ネットワークにアクセスする際にユーザーに提示してユーザーに選択させることができる。また、ＳＩＭカードがローミング先のネットワークにアクセスすると、高いローミング料金が発生する場合は、このローミングネットワークを「使用禁止ネットワークリスト」に設定することができる。
【００４９】
具体的な実施形態によれば、修正の場合は、バックエンドプラットフォームはＳＩＭカードのデータファイルを解析し、その優先ネットワークと使用禁止ネットワークに関するフィールドを削除し、ネットワーク配置情報に基づいて設定されたネットワークリストを、ＳＩＭカードのデータファイルの要求フォーマットにより再編成及び入力を行い、新しいＳＩＭカードのデータファイルを生成する。
【００５０】
修正されたＳＩＭカードデータを取得した後、前記装置は、
前記修正されたＳＩＭカードデータを送信する送信手段３０４を含む。
【００５１】
ネットワークリストを修正する必要がない場合は、送信手段３０４はさらに、
デフォルトのネットワークリストを使用する指示に応答し、前記あらかじめ設定されたＳＩＭカードデータを送信することに用いられる。
【００５２】
端末は、ＳＩＭカードのデータファイルを受信した後、標準プロトコルに従い解析すればよい。バックエンドプラットフォームがＳＩＭデータファイルを修正したか否かにはかかわらず、端末にとって特に修正と適応を行う必要はない。
【００５３】
したがって、本発明に係る遠隔ＳＩＭカードに基づくネットワーク配置装置によれば、ＳＩＭカードデータを柔軟に修正し、今までユーザーに最適なネットワークを選択し、ユーザーにより良いネットワーク体験を提供することができる。
【００５４】
以上、本発明の好適な実施形態に過ぎず、本発明を限定するものではない。本発明の精神と原則の範囲内であれば、如何なる修正、均等の変更、改善など、すべて本発明の保護範囲内にある。
【要約】      （修正有）【課題】遠隔ＳＩＭカードに基づくネットワーク配置方法及び装置を提供する。【解決手段】ユーザーにより良いネットワーク体験を提供することができる方法は、ネットワーク配置情報に応答し、遠隔ＳＩＭカードにあらかじめ設定されているＳＩＭカードデータのネットワークリストを修正し、修正されたＳＩＭカードデータを取得することと、修正されたＳＩＭカードデータを送信することとを含む。方法は、より優れたネットワークをユーザーに提供するとともに、要件を満たさないネットワークを無効化又は制限する。【選択図】図２【図１】
0006757864.tif 000002
【図２】
0006757864.tif 000003
【図３】
0006757864.tif 000004